(57)【要約】      （修正有）【課題】駆動に電動機などの駆動源を必要としない乗馬運動器具を提供する。【解決手段】乗馬運動器具であって、基端部１ｅ，１ｆがそれぞれ基台１ｃ，１ｄに固定され上方部が連結部において互いに揺動可能に連結される一対の前，後支持脚部１ａ，１ｂを備え、前記後支持脚部１ｂには所定間隔を有する一対の連結筒２ａ２ｂを配設し、前記各連結筒２ａ，２ｂとそれぞれ揺動可能に枢支されたそれぞれのリンク部材３を介して前後方向の揺動が可能に枢着された着座部４を設けてなり、前記着座部４にはサドル５を着脱可能に固定し、サドル５への騎乗により前記リンク部材３を介して前記サドル５を前後方向への揺動を行い、全身運動を可能にした。【選択図】図２
0003129954.tif 000002
【実用新案登録請求の範囲】
【請求項１】
乗馬運動器具であって、基端部がそれぞれ基台に固定され上方部が連結部において互いに揺動可能に連結される一対の前，後支持脚部を備え、前記後支持脚部には所定間隔を有する一対の連結筒を配設し、前記各連結筒とそれぞれ揺動可能に枢支されたそれぞれのリンク部材を介して前後方向の揺動が可能に枢着された着座部を設けてなり、前記着座部にはサドルを着脱可能に固定し、サドルへの騎乗により前記リンク部材を介して前記サドルを前後方向への揺動を行い、全身運動を可能にしたことを特徴とする乗馬運動器具。
【請求項２】
前記サドル前方には鞍帯を固設して使用者が両手により把持できるようにしたことを特徴とする請求項１に記載の乗馬運動器具。
【請求項３】
前記前，後支持脚部は互いに連結部が分離可能であることを特徴とする請求項１に記載の乗馬運動器具。
【考案の詳細な説明】
【技術分野】
【０００１】
本考案は、乗馬運動器具に関し、特に、駆動に電動機などの駆動源を用いることなく一対の前，後支持脚部の組み合わせによって後支持脚部上方部に前後方向への揺動可能にサドルを配設することで、騎乗時に乗馬のような腰部を含めた全身運動が可能な乗馬運動器具に関する。
【背景技術】
【０００２】
健康器具は現代人の生活習慣に対応して派生し普及した商品で、忙しい生活を送ったり、居住空間が狭い、運動する時間がないといった人に随時運動できる環境を提供している。
【０００３】
現在の健康器具の製品は小型化されたものが主流でないと一般家庭に浸透しないのが現状で、よく見られる器具構造としてはウォーキングマシンなどがある。この技術は既に完成された域に達成しているが、使用者にとっては常態化された設計製品である。前記ウォーキングマシンの効能としては身体の下半身部分の鍛錬を行なうために使用されるものであって、身体の全身を鍛える運動器具としては不向きである。また、乗馬運動器具もいくつか開発されてはいるが、いずれも駆動源として電動機を使用したものが主流であって、コスト的に高価になっている。
【考案の開示】
【考案が解決しようとする課題】
【０００４】
本考案は、駆動に電動機などの駆動源を必要としない乗馬運動器具を提供するもので、基端部がそれぞれ基台に固定され上方部が連結部において互いに揺動可能に連結される一対の前，後支持脚部を備え、前記後支持脚部には所定間隔を有する一対の連結筒を配設し、前記各連結筒とそれぞれ揺動可能に枢支されたそれぞれのリンク部材を介して前後方向の揺動が可能に枢着された着座部を設けてなり、前記着座部にはサドルを着脱可能に固定し、サドルへの騎乗により該サドルを前後方向への揺動を行い、全身運動を可能にした乗馬運動器具を提供することを目的とする。
【課題を解決するための手段】
【０００５】
本考案の請求項１に記載の乗馬運動器具は、基端部がそれぞれ基台に固定され上方部が連結部において互いに揺動可能に連結される一対の前，後支持脚部を備え、前記後支持脚部には所定間隔を有する一対の連結筒を配設し、前記各連結筒とそれぞれ揺動可能に枢支されたそれぞれのリンク部材を介して前後方向の揺動が可能に枢着された着座部を設けてなり、前記着座部にはサドルを着脱可能に固定し、サドルへの騎乗により該サドルを前後方向への揺動を行い、全身運動を可能にしたことを特徴とする。
【０００６】
請求項２の考案は、請求項１に記載の乗馬運動器具において、前記サドル前方には鞍帯を固設して使用者が両手により把持できるようにしたことを特徴とする。
【０００７】
請求項３の考案は、請求項１に記載の乗馬運動器具において、前記前，後支持脚部は互いに連結部が分離可能であることを特徴とする。
【考案の効果】
【０００８】
本考案に係る乗馬運動器具は、互いに揺動可能に連結される一対の前，後支持脚部を備え、前記後支持脚部にリンク部材を介して前後方向の揺動が可能に枢着された着座部を設け、前記着座部にはサドルを着脱可能に固定し、サドルへの騎乗により該サドルを前後方向への揺動を行ない得るようにしたので、使用者が騎乗した後、両手をサドル前方の鞍帯を把持して、腰の動作に合わせて前後方向への揺動を行なえることで、継続して全身運動を達成することができる。
【０００９】
また、本考案の運動器具を操作した時、乗馬のような律動状態になるので、操作時の面白い動きにより使用者は継続して運動し、運動効果を増加する目的を達する。
【００１０】
更に、現在市販されているような電動駆動による乗馬運動器具と異なり安価に提供でき、使用後も分離して収納できるので収納スペースが狭くて済むなどの効果がある。
【考案を実施するための最良の形態】
【００１１】
以下、本考案の乗馬運動器具の最良の実施態様について、図面を用いて実施例を説明する。
【実施例】
【００１２】
本考案に係る乗馬運動器具は、図１〜３に示すような構造となっている。
【００１３】
すなわち、図１は乗馬運動器具の分解状態の斜視図であり、図２はサドルを仮想線で示した組み立て状態の斜視図、図３は器材を組み立てた状態を示す斜視図である。
【００１４】
図１において、１ａ，１ｂは、前後方向に対応して配設された細幅板状で形成された前，後支持脚部であり、前後方向に所定の間隔で配設されたＣ字形状に湾曲された一対の基台１ｃ，１ｄにそれぞれ基端部１ｅ，１ｆが固着されて立設され、上端部では互いに移動可能に連結されるようになっている。
【００１５】
前記前支持脚部１ａの先端側には、前後方向に形成した長溝１０１が設けられており、該長溝には回動可能な係合フック１２が配設されている。前記係合フック１２の先端部は、前記後支持脚部１ｂの下側となるように配設され、前記後支持脚部１ｂの裏面側に設けた連結部となる連結金具１０２と係合フック１２とを互いに係止して、前記前，後支持脚部１ａ，１ｂが前後方向への揺動可能に且つ着脱可能に連結されている。
【００１６】
前記後支持脚部１ｂの先端部には連結筒２ａが取り付けられていると共に、前記後支持脚部１ｂ上面のほぼ中央部に立設状態に固着された支柱２の上部にも連結筒２ｂが固着配設されている。
【００１７】
４はサドル５を取り付けるための前後方向への揺動可能な着座部で、該着座部４は一対のパイプ部材４ｂ，４ｂを下向きコ字状に折曲形成し、併設して互いに連結杆４ａで固定したもので、各下端部が前記連結筒２ａ，２ｂにそれぞれ枢支ピン３ａによって一端が枢支されたリンク部材３の他端に揺動可能に枢支されている。
【００１８】
前記着座４の外周囲は、下部開口の袋状のサドル５によって覆われており、該サドル５は前記着座部４の連結杆４ａに設けた取り付け舌片４ｃを介して着脱自在に固定されるようになっている。また、サドル５は下半分が遮蔽効果を有する幕の設計である。
【００１９】
また、１１は足踏みペダルで、前記前支持脚部１ａの基端部の近傍に上下方向への回動が可能に設けられ、足踏みペダル１１の上下方向への移動が連結紐１１ａを介して前記係合フック１２を移動するようになっており、前記係合フック１２の移動により連結金具１０２に固定された後支持脚部１ｂを揺動し、かつ前記リンク部材３を介して前記着座部４を連動して、サドル５を前後方向に揺動するようになっている。
【００２０】
前述のように構成された乗馬運動器具によれば、図４に示すように、サドル５の着座部４がリンク部材３を介して後支持脚部１ｂの連結筒２ａ、２ｂと前後方向への揺動が可能に連結した状態であるため、使用者がサドル５に跨って着座すると、前記リンク部材３と連結された着座部４を介して、サドル５が前後に揺動するようになっている。
【００２１】
従って、使用者の上半身はサドル５の動きに合わせて前後方向に揺動し、前後運動を継続して、全身運動効果を達成することができる。本考案の使用時には、身体は馬に騎乗したような律動状態を呈し、操作時の動きが面白く、使用者は継続して使用し、運動効果を増加することができる。
【００２２】
尚、サドル５の揺動始動時には、前記足踏みペダル１１の踏み込みによって係合フック１２を介して前記後支持脚部１ｂの連結金具１０２を回動させ容易に揺動動作作を開始することができる。
【００２３】
また、本考案のサドル５前方には鞍帯５１を固設して使用者が両手で把持できるようになっており、両手で身体の動きに合わせて平衡状態を維持し、操作時の安全性を提供する。
【００２４】
更に本考案は、前記前，後支持脚部は互いに連結部である連結金具１０２と係合杆１０３との係止部分を分離可能としたので、使用後にはこれらを分離して収納が可能で、収納スペースも狭くてよい。
【００２５】
本考案では好ましい実施例を前述の通り開示したが、これらは決して本考案に限定するものではなく、当該技術を熟知する者なら誰でも、本考案の精神と領域を脱しない範囲内で各種の変動や修正を加えることができ、従って本考案明の保護範囲は、実用新案登録請求の範囲で指定した内容を基準とする。
【図面の簡単な説明】
【００２６】
【図１】本考案の乗馬運動器具の一実施例を示す分解状態の斜視図。
【図２】本考案の乗馬運動器具の一実施例を示し、サドルを仮想線で示した組み立て状態の斜視図。
【図３】本考案の乗馬運動器具の一実施例を示す組み立て状態の外観斜視図、
【図４】本考案の動作説明図。
【図５】本考案の乗馬運動器具を折り畳んだ状態を示す概略斜視図。
【符号の説明】
【００２７】
１ａ，１ｂ    前，後支持脚部
１ｃ，１ｄ    基台
１ｅ，１ｆ    基端部
２ａ，２ｂ    連結筒
２            支柱
３            リンク部材
４            着座部
４ａ          連結杆
４ｂ          下端部
４ｃ          舌片
５            サドル
１１          足踏みペダル
１１ａ        連結紐
１２          係合フック
５１          鞍帯
１０１        長溝
１０２        連結金具
【図１】
0003129954.tif 000003
【図２】
0003129954.tif 000004
【図３】
0003129954.tif 000005
【図４】
0003129954.tif 000006
【図５】
0003129954.tif 000007